(57)【要約】【課題】釣糸導入部における竿管に作用する応力を低減し、糸絡みの発生し難い釣糸導入部を有する中通し釣竿を提供すること。【解決手段】大径竿管１２の一側に貫通形成した釣糸導入孔１２ｃを通して、竿管の内部に釣糸を導入する釣糸導入部２４を有する中通し釣竿であって、この釣糸導入部２４には、釣糸導入孔１２ｃの先側で大径竿管１２に固定される固定部３２と、この固定部３２から釣糸導入孔１２ｃを超えてこの大径竿管１２から離隔する方向に延設されるフレーム部３４と、このフレーム部３４の後側端部に設けられて、ガイドリング４０を保持するリング保持部３６とを一体的に形成した金属板製ガイドフレーム３０が配置され、このガイドフレーム３０のリング保持部３６は、釣糸導入孔１２ｃの後側位置で大径竿管１２から離間させて配置され、ガイドリング４０を、その全周にわたって後方に突出させて保持する中通し釣竿。【選択図】図２
2007228829.tif 000002
【特許請求の範囲】
【請求項１】
竿管の一側に貫通形成した釣糸導入孔を通して、竿管の外部から内部に釣糸を導入する釣糸導入部を有する中通し釣竿であって、この釣糸導入部には、前記釣糸導入孔の先側で竿管に固定される固定部と、この固定部から釣糸導入孔を超えて竿管の後側かつこの竿管から離隔する方向に延設されるフレーム部と、このフレーム部の後側端部に設けられて、釣糸用ガイドリングを保持するリング保持部とを一体的に形成した金属板製ガイドフレームが配置され、このガイドフレームのリング保持部は、前記釣糸導入孔の後側位置で竿管から離間させて配置され、前記ガイドリングを、その全周にわたって後方に突出させて保持することを特徴とする中通し釣竿。
【請求項２】
前記ガイドフレームのリング保持部と竿管との間に形成される隙間に、柔軟性部材が配置されることを特徴とする請求項１に記載の中通し釣竿。
【請求項３】
前記ガイドフレームと竿管との間に、前記ガイドリングから釣糸導入孔に釣糸を導く合成樹脂製の案内部材が設けられ、この案内部材は、釣糸導入孔の後端側の竿管との間に、後方に向かって滑らかに拡大する隙間を形成することを特徴とする請求項１又は２に記載の中通し釣竿。
【請求項４】
前記ガイドリングは、竿管の軸線と交差する方向に長軸が配置される長円形に形成されることを特徴とする請求項１から３のいずれか１つに記載の中通し釣竿。
【発明の詳細な説明】
【技術分野】
【０００１】
本発明は、釣竿に関し、特に、竿管の一側に貫通形成した釣糸導入孔を通して、竿管の外部から内部に釣糸を導入する釣糸導入部を有する中通し釣竿に関する。
【背景技術】
【０００２】
一般に、釣糸が竿管の内部を穂先まで案内される中通し釣竿の場合にあっては、魚釣用リールが取付けられる元竿に釣糸導入孔を形成し、魚釣用リールから繰出された釣糸を、この釣糸導入孔から竿管の内部に案内する釣糸導入部が設けられている。
【０００３】
このような釣糸導入部を有する中通し釣竿には、魚釣用リールから放出される釣糸の収束性を担保しつつ良好な配置バランスとするため、釣糸導入孔を跨ぐように釣糸導入孔の先後に第１固定部と第２固定部とを連結し、後側の第２固定部よりも竿元側の斜め上方に延設した本体部の竿元側端部に、セラミック等の硬質部材からなるリング部材を配置し、第１，第２固定部間における本体部と竿管との間の空間に補助リング部材を吊り下げた状態に配置した釣糸ガイドを設けたものがある（例えば特許文献１参照）。
【特許文献１】特開２００１−３５２８６３
【発明の開示】
【発明が解決しようとする課題】
【０００４】
しかし、このような中通し釣竿では、釣糸導入孔の形成により、竿管の強度が低下する部位に釣糸ガイドが設けられ、竿管に荷重が作用した際に、釣糸導入孔の先側と後側との第１，第２固定部が固定される部位に応力が集中的に作用する。このため、第１，第２固定部が取付けられる部位のそれぞれを補強し、応力による破損を防止する必要がある。このように竿管を補強することで、竿管のコストが上昇すると共に釣竿の重量が増大する。また、糸絡みが生じ易い。
【０００５】
本発明は、このような事情に基づいてなされたもので、釣糸導入部における竿管に作用する応力を低減し、糸絡みの発生し難い釣糸導入部を有する中通し釣竿を提供することを目的とする。
【課題を解決するための手段】
【０００６】
上記目的を達成する本発明の中通し釣竿は、竿管の一側に貫通形成した釣糸導入孔を通して、竿管の外部から内部に釣糸を導入する釣糸導入部を有する中通し釣竿であって、この釣糸導入部には、前記釣糸導入孔の先側で竿管に固定される固定部と、この固定部から釣糸導入孔を超えて竿管の後側かつこの竿管から離隔する方向に延設されるフレーム部と、このフレーム部の後側端部に設けられて、釣糸用ガイドリングを保持するリング保持部とを一体的に形成した金属板製ガイドフレームが配置され、このガイドフレームのリング保持部は、前記釣糸導入孔の後側位置で竿管から離間させて配置され、前記ガイドリングを、その全周にわたって後方に突出させて保持することを特徴とする。
【０００７】
前記ガイドフレームのリング保持部と竿管との間に形成される隙間に、柔軟性部材を配置してもよい。
【０００８】
また、前記ガイドフレームと竿管との間に、前記ガイドリングから釣糸導入孔に釣糸を導く合成樹脂製の案内部材が設けられてもよく、この案内部材は、釣糸導入孔の後端側の竿管との間に、後方に向かって滑らかに拡大する隙間を形成することが好ましい。
【０００９】
ガイドフレームで保持されるガイドリングは、竿管の軸線と交差する方向に長軸が配置される長円形に形成されるものであってもよい。
【発明の効果】
【００１０】
本発明の中通し釣竿によると、釣糸導入部では、ガイドリングを保持するガイドフレームが釣糸導入孔の先側でのみ、固定部を介して竿管に固定され、この釣糸導入孔の後側では、ガイドフレームが竿管から離間して配置されるため、竿管に荷重が作用した際に、釣糸導入孔の後側では、竿管とガイドフレームとの固定による集中的な応力の発生がなく、竿管に作用する応力が低減される。また、釣糸を案内するガイドリングが、ガイドフレームのリング保持部から後方に突出することにより、釣糸の抵抗が低減され、糸絡みが発生し難い。
【００１１】
ガイドフレームのリング保持部と竿管との間の隙間に柔軟性部材が配置される場合には、釣糸が隙間内に侵入することなく、ガイドリングから釣糸導入孔まで釣糸が案内される。
【００１２】
ガイドフレームと竿管との間に設けた案内部材が、釣糸導入孔の後端側の竿管との間に、後方に向かって滑らかに拡大する隙間を形成する場合には、釣糸がこの隙間に入り込んでも、この隙間内で引っ掛かることがなく、滑らかに案内される。
【００１３】
また、ガイドリングが長円形に形成される場合には、開口面積が大きく、釣糸に与える抵抗が小さくなる。
【発明を実施するための最良の形態】
【００１４】
図１から図５は、本発明の好ましい実施形態による中通し釣竿１０の元側すなわち後方側を示す。
【００１５】
図１にその全体の概略を示すように、本実施形態の中通し釣竿１０は、竿尻側に握り部１２ａと尻栓１２ｂとを設けた元竿管である大径竿管１２を有し、穂先側に第１竿管である穂先竿管１４を有し、この穂先竿管１４から竿尻側に順に第２竿管である穂持竿管１６と第３竿管である中竿１８と第４竿管である元前竿管２０とを継合わせて形成してある。これらの第１〜第４竿管１４，１６，１８，２０は、基端外周面と先端内周面との各継合部Ｐ１〜Ｐ４で継合される振り出し構造であって、大径竿管１２内に収納される。これらの各竿管は、強化繊維に合成樹脂を含浸させた繊維強化プリプレグ（ＦＲＰ）を芯金に巻回した後、硬化、脱芯等の通常の工程を経て形成される。
【００１６】
大径竿管１２と穂先竿管１４との間の中竿の竿管の数については上述の３本に限定されることはない。また、例えば第２，第３竿管を省略して、第２竿管１６を大径竿管１２に継合させてもよく、大径竿管１２と第４竿管２０とを並継ぎにする等、部分的に並継ぎ構造を採用してもよい。また、大径竿管１２に形成される握り部１２ａ等の形態も図示のものに限定されるものではない。更に、大径竿管１２の後方に、元竿管を設けることも可能である。
【００１７】
本実施形態の大径竿管１２には、各種の魚釣用リール（図示しない）を固定するリールシート２２が設けられ、この穂先側には、魚釣用リールから延びる釣糸を側面から竿管内部に導入する釣糸導入部２４が設けられている。この釣糸導入部２４は、大径竿管１２と第４竿管２０との継合部Ｐ４の後側（尻栓１２ｂ側）に近接させて設けられており、第４竿管２０を大径竿管１２から振出し継合させた際、第４竿管２０の基端側がこの釣糸導入部２４に近接して位置する。これにより、糸通し作業が行い易くなる。この釣糸導入部２４は、大径竿管１２に代えて例えば第４竿管２０に設けることもできる。
【００１８】
図２に示すように、本実施形態の釣糸導入部２４には、大径竿管１２の側壁に貫通させて周縁部に硬質ガイド２６を延設した釣糸導入孔１２ｃが配置されている。この釣糸導入孔１２ｃは、大径竿管１２の長手方向に沿って長軸が配置される長円形状を有しており、この釣糸導入孔１２ｃの先側に、釣糸ガイド２８が固定されている。この釣糸ガイド２８は、図３に示す形状の金属板製のガイドフレーム３０を有し、図４に示すような合成樹脂製の案内部材４２を大径竿管１２との間に配置した状態で、大径竿管１２に固定されている。
【００１９】
図２および図３に示すように、このガイドフレーム３０は、釣糸導入孔１２ｃの先側で大径竿管１２に固定される固定部３２と、釣糸導入孔１２ｃを超えて大径竿管１２の後側かつこの大径竿管１２から離隔する方向に延設されるフレーム部３４と、このフレーム部３４の後側端部に設けられたリング保持部３６とを一体的に形成し、このリング保持部３６に、例えばセラミック等の耐磨耗性材料で形成した長円形のガイドリング４０を保持する長円形の保持孔３６ａを形成してある。このガイドフレーム３０は、固定部３２により、保持孔３６ａの長軸を大径竿管１２の軸線と交差する方向に配置した状態で、大径竿管１２に対して片持ち状に保持される。釣糸導入孔１２ｃの後側に位置するリング保持部３６は大径竿管１２から離間させて配置され、この大径竿管との間に間隙Ｓが形成される。この間隙Ｓは、大径竿管１２に荷重が作用したときに、ガイドフレーム３０と干渉するのを防止し、これにより、大径竿管１２の釣糸導入部２４に大きな応力が形成されるのを防止する。
【００２０】
本実施形態では、このフレーム部３４とリング保持部３６との間に補強用のウェブ３８を形成してあり、フレーム部３４はその横断面が外方に突出する湾曲形状に形成されている。また、リング保持部３６は、この保持孔３６ａを囲む周縁部が僅かに凹設され（図３の（Ｂ）参照）、このリング保持部３６の強度が向上されている。このリング保持部３６は、大径竿管１２の後方に向けてこの大径竿管１２から離間する方向を向き、保持孔３６ａの軸線が釣糸導入孔１２ｃの中心と魚釣用リールの釣糸放出方向とを結ぶ線に沿って配置されると共に、保持孔３６ａの長手軸と釣糸導入孔１２ｃの長手軸とが同一平面上に配置されることが好ましい。
【００２１】
図２および図４に示すように、このガイドフレーム３０と大径竿管１２との間に介挿される案内部材４２は、釣糸導入孔１２ｃの先側で大径竿管１２に対応する湾曲面４３を内側に形成した固定部４４と、釣糸導入孔１２ｃを超えて大径竿管１２の後側に延設されるフード部４６とを有し、このフード部４６の後端部にガイドフレーム３０のリング保持部３６を収容する開口部４８が形成される。
【００２２】
この案内部材４２のフード部４６は、ガイドフレーム３０のフレーム部３４が嵌合する凹部４５が外側に形成されて釣糸導入孔１２ｃを覆う頂部４６ａを有し、この頂部４６ａから釣糸導入孔１２ｃに向けて一対の壁部４６ｂが延設されている。頂部４６ａはガイドフレーム３０のフレーム部３４に沿って固定部４４から後側に向け傾斜し、壁部４６ｂの高さも増大する。この壁部４６ｂは、頂部４６ａの反対側で、壁部４６ｂから突出する突部４７が釣糸導入孔１２ｃ内に突入する。これにより、釣糸導入孔１２ｃの側面を保護すると共に、案内部材４２およびガイドフレーム３０を大径竿管１２に対して位置決めし、移動を阻止することができる。また、壁部４６ｂは、この突部４７の後方側縁部が頂部４６ａ側に湾曲しており、ガイドフレーム３０のリング保持部３６と共に、大径竿管１２との間に間隙Ｓを形成する。この壁部４６ｂが大径竿管１２の外面との間に形成する間隙Ｓは、後方に向けてなだらかに傾斜しているため、この間隙Ｓ内に釣糸が入り込んだ場合でも、引っ掛かることはない。
【００２３】
図５は、このように形成されたガイドフレーム３０と案内部材４２とを重ねた状態を示す。ガイドフレーム３０の固定部３２に形成した固定孔３２ａと、案内部材４２の固定部に形成した固定孔４４ａとが整合される。ガイドフレーム３０のフレーム部３４とリング保持部３６とは、それぞれ案内部材４２の頂部４６ａに形成した凹部４５と開口部４８とに嵌合される。
【００２４】
このように形成された釣糸ガイド２８を釣糸導入部２４に取付ける場合は、ガイドフレーム３０のリング保持部３６に予めガイドリング４０(図２）を嵌合しておくことが好ましい。このガイドリング４０の嵌合は、例えばリング保持部３６を熱しておき、この保持孔３６ａの周縁部をガイドリング４０の外周部に沿う周溝４０ａに嵌合することで行うことができる。あるいは、リング保持部３６に図示しない係止爪により、ガイドリング４０を保持孔３６ａ内に固定してもよい。いずれの場合も、ガイドリング４０は、その全周にわたってリング保持部３６よりも後方に突出させて保持する。これにより、釣糸は金属板製のガイドフレーム３０および樹脂製の案内部材４２に触れる前に、摺動抵抗の小さな硬質のガイドリング４０で案内される。特に、このガイドリング４０が長円形であるため、その開口面積が大きく、釣糸に対する抵抗は極めて小さく、糸通しも容易である。
【００２５】
本実施形態では、大径竿管１２に対する釣糸ガイド２８の取付けは、大径竿管１２の内面に抜け止め固定された固定ブロック５０（図２参照）に、固定ネジ５２を螺合することにより行われる。このため、案内部材４２の固定部４４には、固定ブロック５０を受入れる固定孔４４ａを形成し、ガイドフレーム３０の固定部３２には固定ネジ５２を受入れる固定孔３２ａを形成してある。固定孔３２ａは、固定ネジ５２の頭部が外部に突出しない形状および深さに形成され、固定ブロック５０は、固定ネジ５２の先端が大径竿管１２の内部に突出しない大きさに形成されている。
【００２６】
このような釣糸導入部２４を形成した中通し釣竿１０は、ガイドリング４０がその全周にわたってガイドフレーム３０のリング保持部３６よりも後方に突出した状態で保持されているため、魚釣用リールから繰出された釣糸は、摺動抵抗の小さな長円形のガイドリング４０で案内され、案内部材４２内から釣糸導入孔１２ｃを介して大径竿管１２内に導かれる。このため、釣糸の導入抵抗が極めて小さく、糸絡みが生じ難い。
【００２７】
また、この釣糸導入部２４を形成した大径竿管１２に大きな荷重が例えば曲げ方向に作用した場合、釣糸ガイド２８は釣糸導入孔１２ｃの先側でのみ大径竿管１２に固定され、後側はこの竿管の外面から離間して配置されているため、釣糸導入孔１２ｃの後側で、この釣糸ガイド２８に大径竿管１２が接触することがなく、したがって、大径竿管１２が釣糸ガイド２８と接触することによる応力の発生、および、従来のような竿管と釣糸ガイドとの固定部における集中的な応力の発生がなく、大径竿管１２に作用する応力が低減される。このため、釣糸導入部２４を形成する大径竿管１２を、釣糸導入孔１２ｃの後側で補強する必要がなく、軽量化を図ることができる。
【００２８】
図６は、他の実施形態による釣糸導入部２４Ａを示す。なお、以下に説明する種々の実施形態あるいは変形例は、基本的には上述の実施形態と同様であるため、同様な部位には同様な符号を付し、その詳細な説明を省略する。
【００２９】
この実施形態では、案内部材４２が頂部４６ａのみを有し、壁部が省略されている。間隙Ｓは、ガイドフレーム３０のリング保持部３６と大径竿管１２の外周面との間に形成される。
【００３０】
この実施形態においても、釣糸導入孔１２ｃの後方側でリング保持部３６が大径竿管１２と接触することがなく、このため、大径竿管１２に荷重が作用した際に、これらの大径竿管１２と釣糸ガイド２８のリング保持部３６との接触による応力集中の発生がなく、竿管の折損といった不都合が生じることがない。更に、案内部材４２が軽量化されていることにより、釣糸の抵抗が低減される、軽量構造の釣糸ガイド２８を実現することができる。また、図示しないが、糸絡み防止用の樹脂製の案内部材をリング保持部３６の大径竿管１２側に設けてもよい。
【００３１】
図７は、更に他の実施形態による釣糸導入部２４Ｂを示す。
【００３２】
この実施形態では、釣糸導入孔１２ｃの後側に位置するリング保持部３６と大径竿管１２の外面との間に形成される間隙Ｓに、柔軟性部材５４が配置され、リング保持部３６と大径竿管１２とが直接接触するのが防止されている。このように間隙Ｓを埋める柔軟性部材は、例えばゴム、エラストマー、ＥＶＡ、ウレタン樹脂等の適宜の材料で形成することができる。
【００３３】
この実施形態においても、釣糸導入孔１２ｃの後方側でリング保持部３６が大径竿管１２と接触することがなく、このため、大径竿管１２に荷重が作用した際に、これらの大径竿管１２と釣糸ガイド２８のリング保持部３６との接触による応力集中の発生がなく、竿管の折損といった不都合が生じることがない。また、柔軟性部材５４は、間隙Ｓ内に釣糸が入り込むのを阻止し、ガイドリング４０から釣糸導入孔１２ｃまで釣糸を確実に導くことができ、糸絡みが発生し難い。
【００３４】
なお、上述の実施形態では、いずれも合成樹脂製の案内部材４２を介して金属製のガイドフレーム３０を大径竿管１２に取付けているが、この案内部材４２を省略することも可能である。この場合には、上述の固定ブロック５０および固定ネジ５２を用いた固定に代え、例えば通常の糸巻きにより固定することも可能である。この場合には、間隙Ｓの寸法を調節することにより、更に軽量化した釣糸ガイド２８を実現することができる。
【図面の簡単な説明】
【００３５】
【図１】本発明の好ましい実施形態による中通し釣竿の説明図。
【図２】図１に示す釣竿の釣糸導入部の内部構造を示す拡大断面図。
【図３】図２に示す釣糸ガイドのガイドフレームを示し、（Ａ）は平面図、（Ｂ）は（Ａ）のＢ−Ｂ線に沿う断面図。
【図４】図２に示す釣糸ガイドの案内部材を示し、（Ａ）は平面図、（Ｂ）は（Ａ）のＢ−Ｂ線に沿う断面図。
【図５】図３に示すガイドフレームと図４に示す案内部材とを重ねた状態の説明図。
【図６】他の実施形態による釣糸導入部の拡大断面図。
【図７】更に他の実施形態による釣糸導入部の拡大断面図。
【符号の説明】
【００３６】
１０…中通し釣竿、１２…大径竿管、１２ｃ…釣糸導入孔、２４…釣糸導入部、３０…ガイドフレーム、３２…固定部、３４…フレーム部、３６…リング保持部、４０…ガイドリング。
【図１】
2007228829.tif 000003
【図２】
2007228829.tif 000004
【図３】
2007228829.tif 000005
【図４】
2007228829.tif 000006
【図５】
2007228829.tif 000007
【図６】
2007228829.tif 000008
【図７】
2007228829.tif 000009